【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
容量性接触センサのための評価方法であって、前記容量性接触センサは、交番電場が放出されるように交番信号を受信する少なくとも１つの伝送電極（ＳＥ）と、少なくとも１つの受信電極（ＥＥ）とを含み、前記少なくとも１つの伝送電極（ＳＥ）および前記少なくとも１つの受信電極（ＥＥ）は、ユーザの手によって容量性結合状態にされることが可能であり、前記少なくとも１つの受信電極（ＥＥ）において、測定信号（Ｓ１）が受信され、前記測定信号（Ｓ１）は、前記少なくとも１つの伝送電極（ＳＥ）と前記少なくとも１つの受信電極（ＥＥ）との間の結合静電容量の時間経過を表し、前記測定信号（Ｓ１）から、基準信号（ＳＲＥＦ）が形成され、ユーザの手によって生じる前記容量性結合は、ベースライン検出信号を生成し、前記基準信号（ＳＲＥＦ）が少なくとも１つの検出基準を満たす場合、少なくとも１つの検出信号（Ｓ２）が生成され、前記検出基準は、前記ベースライン検出信号に対して閾値を定義する、方法。
【請求項２】
前記測定信号（Ｓ１）は、低域通過フィルタリングされ、前記測定信号（Ｓ１）の低域通過フィルタリング後、前記測定信号（Ｓ１）と前記低域通過フィルタリングされた測定信号との間の差異信号が形成され、前記差異信号は、前記基準信号（ＳＲＥＦ）を構成する、請求項１に記載の方法。
【請求項３】
前記基準信号（ＳＲＥＦ）の生成は、前記測定信号（Ｓ１）の微分および前記測定信号（Ｓ１）の高域通過フィルタリングのうちの１つを含む、請求項１に記載の方法。
【請求項４】
前記検出基準は、上方閾値（ＵＴ）および／または下方閾値（ＬＴ）を含み、好ましくは、前記検出基準は、上限値（ＵＬ）および／または下限値（ＬＬ）を含み、前記上限値（ＵＬ）は、前記上方閾値（ＵＴ）を上回り、前記下限値（ＬＬ）は、前記下方閾値（ＬＴ）を下回る、請求項１〜３のいずれかに記載の方法。
【請求項５】
前記基準信号（ＳＲＥＦ）が前記下方閾値（ＬＴ）を下回る場合、第１の検出信号（Ｓ２．１）が生成され、および／または、前記基準信号（ＳＲＥＦ）が前記上方閾値（ＵＴ）を上回る場合、第２の検出信号（Ｓ２．２）が生成される、請求項４に記載の方法。
【請求項６】
前記基準信号（ＳＲＥＦ）が前記下方閾値（ＬＴ）を下回り、かつ、前記下限値（ＬＬ）を上回る場合、第１の検出信号（Ｓ２．１）が生成され、および／または、前記基準信号（ＳＲＥＦ）が前記上方閾値（ＵＴ）を上回り、かつ、前記上限値（ＵＬ）を下回る場合、第２の検出信号（Ｓ２．２）が生成される、請求項４または５に記載の方法。
【請求項７】
前記第１の検出信号（Ｓ２．１）および前記第２の検出信号（Ｓ２．２）は、デジタル信号であり、前記検出信号（Ｓ２．１、Ｓ２．２）が少なくとも１つの情報基準を満たす場合、情報信号（Ｓ３）が生成される、請求項５または６に記載の方法。
【請求項８】
前記情報基準は、
前記第１の検出信号（Ｓ２．１）の２つのパルスの立ち上がりエッジ間、または
前記第２の検出信号（Ｓ２．２）の２つのパルスの立ち上がりエッジ間、または
前記第１の検出信号（Ｓ２．１）のパルスの立ち上がりエッジと前記第２の検出信号（Ｓ２．２）のパルスの立ち上がりエッジとの間の
時間間隔が、所定の値を上回るか、または下回ること、
前記第１の検出信号（Ｓ２．１）のパルスまたは前記第２の検出信号（Ｓ２．２）のパルスのパルス持続時間が、所定の値を上回るか、または下回ること、
所定の時間期間（Δｔ１）内において、前記第１の検出信号（Ｓ２．１）、または前記第２の検出信号（Ｓ２．２）、または前記第１の検出信号（Ｓ２．１）および前記第２の検出信号（Ｓ２．２）が、所定の数のパルスを含むこと、および、
前記第１の検出信号（Ｓ２．１）および前記第２の検出信号（Ｓ２．２）のパルスのシーケンスが、ある一定のパターンを含むこと
のうちの少なくとも１つを含む、請求項７に記載の方法。
【請求項９】
前記結合静電容量は、伝送方式または吸収方式によって測定される、請求項１〜８のいずれかに記載の方法。
【請求項１０】
前記測定信号（Ｓ１）の信号レベルが所定の基準レベルを下回る場合、前記測定信号（Ｓ１）は、所定の第１のサンプリングレートを使用してサンプリングされ、前記測定信号（Ｓ１）の信号レベルが前記所定の基準レベルを上回る場合、前記測定信号（Ｓ１）は、所定の第２のサンプリングレートを使用してサンプリングされ、前記第１のサンプリングレートは、好ましくは、前記第２のサンプリングレートより低い、請求項１〜９のいずれかに記載の方法。
【請求項１１】
前記測定信号（Ｓ１）の信号レベルが所定の基準レベルを下回る場合、前記測定信号（Ｓ１）は、所定の第１の増幅を使用して増幅され、前記測定信号（Ｓ１）の信号レベルが前記所定の基準レベルを上回る場合、前記測定信号（Ｓ１）は、所定の第２の増幅を使用して増幅され、前記第２の増幅は、前記測定信号（Ｓ１）が、常時、前記容量性接触センサの動作範囲内にあるように選定される、請求項１〜１０のいずれかに記載の方法。
【請求項１２】
前記受信電極（ＥＥ）において、少なくとも１つの第２の測定信号（Ｓ１ｂ）が、タップされ、前記基準信号（ＳＲＥＦ）の生成に先立って、前記測定信号（Ｓ１）および前記少なくとも１つの第２の測定信号（Ｓ１ｂ）は、互に組み合わされ、前記基準信号（ＳＲＥＦ）は、前記組み合わされた測定信号から生成され、前記測定信号（Ｓ１；Ｓ１ｂ）は、好ましくは、組み合わせることに先立って、信号事前処理を受ける、請求項１〜１１のいずれかに記載の方法。
【請求項１３】
容量性接触センサのための評価デバイスであって、前記評価デバイスは、前記容量性接触センサの少なくとも１つの伝送電極（ＳＥ）および少なくとも１つの受信電極（ＥＥ）と結合されるように動作可能であり、前記評価デバイスは、請求項１〜１２のいずれかに記載の評価方法を実施するように適合されている、評価デバイス。
【請求項１４】
電気携帯用デバイスであって、前記電気携帯用デバイスにおいて、少なくとも１つの伝送電極（ＳＥ）および少なくとも１つの受信電極（ＥＥ）が、配列され、評価デバイスと結合され、前記評価デバイスは、請求項１〜１２のいずれかに記載の評価方法を実施するように適合され、前記電気携帯用デバイスは、好ましくは、モバイル無線ユニット、遠隔制御、ゲーム用コンソールのための入力手段、ポータブルミニコンピュータ、スマートフォン、コンピュータマウス、およびコンピュータのための入力手段のうちの少なくとも１つを含む、電気携帯用デバイス。
【請求項１５】
前記電気携帯用デバイスは、変形可能様式で設計され、前記携帯用デバイスの変形は、前記少なくとも１つの伝送電極（ＳＥ）と前記少なくとも１つの受信電極（ＥＥ）との間の結合静電容量の変動を生じさせる、請求項１４に記載の電気携帯用デバイス。
【手続補正２】
【補正対象書類名】明細書
【補正対象項目名】００２９
【補正方法】変更
【補正の内容】
【００２９】
本発明のさらなる詳細および特性は、図面とともに、以下の説明から生じる。
本願明細書は、例えば、以下の項目も提供する。
（項目１）
容量性接触センサのための評価方法であって、前記容量性接触センサは、容量性結合状態にされることが可能な少なくとも１つの伝送電極（ＳＥ）および少なくとも１つの受信電極（ＥＥ）を含み、前記少なくとも１つの受信電極（ＥＥ）において、測定信号（Ｓ１）がタップされ、前記測定信号（Ｓ１）は、前記少なくとも１つの伝送電極（ＳＥ）と前記少なくとも１つの受信電極（ＥＥ）との間の結合静電容量の時間経過を表し、前記測定信号（Ｓ１）から、基準信号（ＳＲＥＦ）が形成され、前記基準信号（ＳＲＥＦ）が少なくとも１つの検出基準を満たす場合、少なくとも１つの検出信号（Ｓ２）が生成される、方法。
（項目２）
容量性接触センサのための評価方法であって、前記容量性接触センサは、少なくとも１つのセンサ電極（ＳＥ／ＥＥ）を含み、前記少なくとも１つのセンサ電極（ＳＥ／ＥＥ）において、測定信号（Ｓ１）がタップされ、前記測定信号（Ｓ１）は、前記センサ電極（ＳＥ／ＥＥ）と基準接地との間の容量性負荷の時間経過を表し、前記測定信号（Ｓ１）から、基準信号（ＳＲＥＦ）が形成され、前記基準信号（ＳＲＥＦ）が少なくとも１つの検出基準を満たす場合、少なくとも１つの検出信号（Ｓ２）が生成される、方法。
（項目３）
前記測定信号（Ｓ１）は、低域通過フィルタリングされ、前記測定信号（Ｓ１）の低域通過フィルタリング後、前記測定信号（Ｓ１）と前記低域通過フィルタリングされた測定信号との間の差異信号が形成され、前記差異信号は、前記基準信号（ＳＲＥＦ）を構成する、項目１〜２のいずれかに記載の方法。
（項目４）
前記基準信号（ＳＲＥＦ）の生成は、前記測定信号（Ｓ１）の微分および前記測定信号（Ｓ１）の高域通過フィルタリングのうちの１つを含む、項目１または２のいずれかに記載の方法。
（項目５）
前記検出基準は、上方閾値（ＵＴ）および／または下方閾値（ＬＴ）を含む、項目１〜４のいずれかに記載の方法。
（項目６）
前記検出基準は、上限値（ＵＬ）および／または下限値（ＬＬ）を含み、前記上限値（ＵＬ）は、前記上方閾値（ＵＴ）を上回り、前記下限値（ＬＬ）は、前記下方閾値（ＬＴ）を下回る、項目５に記載の方法。
（項目７）
前記基準信号（ＳＲＥＦ）が前記下方閾値（ＬＴ）を下回る場合、第１の検出信号（Ｓ２．１）が生成される、項目５から６のいずれかに記載の方法。
（項目８）
前記基準信号（ＳＲＥＦ）が前記上方閾値（ＵＴ）を上回る場合、第２の検出信号（Ｓ２．２）が生成される、項目５から７のいずれかに記載の方法。
（項目９）
前記基準信号（ＳＲＥＦ）が前記下方閾値（ＬＴ）を下回り、かつ、前記下限値（ＬＬ）を上回る場合、第１の検出信号（Ｓ２．１）が生成される、項目６から８のいずれかに記載の方法。
（項目１０）
前記基準信号（ＳＲＥＦ）が前記上方閾値（ＵＴ）を上回り、かつ、前記上限値（ＵＬ）を下回る場合、第２の検出信号（Ｓ２．２）が生成される、項目６から９のいずれかに記載の方法。
（項目１１）
前記第１の検出信号（Ｓ２．１）および前記第２の検出信号（Ｓ２．２）は、デジタル信号であり、前記検出信号（Ｓ２．１、Ｓ２．２）が少なくとも１つの情報基準を満たす場合、情報信号（Ｓ３）が生成される、項目７から１０のいずれかに記載の方法。
（項目１２）
前記情報基準は、
前記第１の検出信号（Ｓ２．１）の２つのパルスの立ち上がりエッジ間、または
前記第２の検出信号（Ｓ２．２）の２つのパルスの立ち上がりエッジ間、または
前記第１の検出信号（Ｓ２．１）のパルスの立ち上がりエッジと前記第２の検出信号（Ｓ２．２）のパルスの立ち上がりエッジとの間の
時間間隔が、所定の値を上回るか、または下回ること、
前記第１の検出信号（Ｓ２．１）のパルスまたは前記第２の検出信号（Ｓ２．２）のパルスのパルス持続時間が、所定の値を上回るか、または下回ること、
所定の時間期間（Δｔ１）内において、前記第１の検出信号（Ｓ２．１）、または前記第２の検出信号（Ｓ２．２）、または前記第１の検出信号（Ｓ２．１）および前記第２の検出信号（Ｓ２．２）が、所定の数のパルスを含むこと、および、
前記第１の検出信号（Ｓ２．１）および前記第２の検出信号（Ｓ２．２）のパルスのシーケンスが、ある一定のパターンを含むこと
のうちの少なくとも１つを含む、項目１１に記載の方法。
（項目１３）
項目１を参照して、結合静電容量が、伝送方式または吸収方式によって測定され、項目２を参照して、容量性負荷が、負荷方式によって測定される、項目１〜１２のいずれかに記載の方法。
（項目１４）
前記測定信号（Ｓ１）の信号レベルが所定の基準レベルを下回る場合、前記測定信号（Ｓ１）は、所定の第１のサンプリングレートを使用してサンプリングされ、前記測定信号（Ｓ１）の信号レベルが前記所定の基準レベルを上回る場合、前記測定信号（Ｓ１）は、所定の第２のサンプリングレートを使用してサンプリングされる、項目１〜１３のいずれかに記載の方法。
（項目１５）
前記第１のサンプリングレートは、前記第２のサンプリングレートより低い、項目１４に記載の方法。
（項目１６）
前記測定信号（Ｓ１）の信号レベルが所定の基準レベルを下回る場合、前記測定信号（Ｓ１）は、所定の第１の増幅を使用して増幅され、前記測定信号（Ｓ１）の信号レベルが前記所定の基準レベルを上回る場合、前記測定信号（Ｓ１）は、所定の第２の増幅を使用して増幅され、前記第２の増幅は、前記測定信号（Ｓ１）が、常時、前記容量性接触センサの動作範囲内にあるように選定される、項目１〜１５のいずれかに記載の方法。
（項目１７）
前記受信電極（ＥＥ）または前記センサ電極（ＳＥ／ＥＥ）において、少なくとも１つの第２の測定信号（Ｓ１ｂ）が、タップされ、前記基準信号（ＳＲＥＦ）の生成に先立って、前記測定信号（Ｓ１）および前記少なくとも１つの第２の測定信号（Ｓ１ｂ）は、互に組み合わされ、前記基準信号（ＳＲＥＦ）は、前記組み合わされた測定信号から生成される、項目１〜１６のいずれかに記載の方法。
（項目１８）
前記測定信号（Ｓ１；Ｓ１ｂ）は、組み合わせることに先立って、信号事前処理を受ける、項目１７に記載の方法。
（項目１９）
容量性接触センサのための評価デバイスであって、前記評価デバイスは、少なくとも１つの伝送電極（ＳＥ）および少なくとも１つの受信電極（ＥＥ）、または、前記容量性接触センサの少なくとも１つのセンサ電極（ＳＥ／ＥＥ）と結合され、前記評価デバイスは、項目１〜１８のいずれかに記載の評価方法を実施するように適合されている、評価デバイス。
（項目２０）
電気携帯用デバイスであって、前記電気携帯用デバイスにおいて、少なくとも１つの伝送電極（ＳＥ）および少なくとも１つの受信電極（ＥＥ）、または、少なくとも１つのセンサ電極（ＳＥ／ＥＥ）が、配列され、評価デバイスと結合され、前記評価デバイスは、項目１から１８のいずれかに記載の評価方法を実施するように適合されている、電気携帯用デバイス。
（項目２１）
モバイル無線ユニット、遠隔制御、ゲーム用コンソールのための入力手段、ポータブルミニコンピュータ、スマートフォン、コンピュータマウス、およびコンピュータのための入力手段のうちの少なくとも１つを含む、項目２０に記載の電気携帯用デバイス。
（項目２２）
前記電気携帯用デバイスは、変形可能様式で設計され、前記携帯用デバイスの変形は、前記少なくとも１つの伝送電極（ＳＥ）と前記少なくとも１つの受信電極（ＥＥ）との間の結合静電容量の変動を生じさせる、項目２０または２１に記載の電気携帯用デバイス。